(57)【要約】【課題】下顎固定部と上顎固定部との相互結合力をより大きく向上させることができるとともに、下顎骨模型の大きさによって上記上顎固定部の左右回転半径をより容易に調節することができる咬合器を提供すること。【解決手段】前側上部に下顎骨模型が分離可能に設置される下顎固定部と；上記下顎固定部の後側上部に軸部材によって後側下部が連結され、前側下部に上顎骨模型が分離可能に設置される上顎固定部と；上記上顎固定部の下部面の後側に上側が軸結合されるプッシュスイッチ部材と、上記プッシュスイッチ部材に具備される前側付着部材と、上記上顎固定部の後側に具備されて、上記前側付着部材と付着される後側付着部材とで構成される連結部と；を含んで構成されることを特徴とする咬合器。
2014533141.tif 000002
【特許請求の範囲】
【請求項１】
前側上部に下顎骨模型（５）が分離可能に設置される下顎固定部（１０）と；
前記下顎固定部（１０）の後側上部に軸部材（２１０）によって後側下部が連結され、前側下部に上顎骨模型（７）が分離可能に設置される上顎固定部（２０）と；
前記上顎固定部（２０）の下部面の後側に上側が軸結合されるプッシュスイッチ部材（３１０）と、前記プッシュスイッチ部材（３１０）に具備される前側付着部材（３２０）と、前記上顎固定部（２０）の後側に具備されて、前記前側付着部材（３２０）と付着される後側付着部材（３３０）とで構成される連結部（３０）と；を含んで構成されることを特徴とする咬合器。
【請求項２】
前記前側付着部材（３２０）と前記後側付着部材（３３０）は極性が互いに異なる磁石からなることを特徴とする請求項１に記載の咬合器。
【請求項３】
前記上顎固定部（２０）の後側下部の両側に前記軸部材（２１０）の一側及び他側とそれぞれ接して、前記軸部材（２１０）を支持する複数の支持部材（２３０）の中の何れか１つが挿入され、
前記複数の支持部材（２３０）は、前記上顎固定部（２０）の後側下部の一側にそれぞれ挿入され、中心部に前側が開放された一側収容溝（２５１）が形成される複数の一側支持部材（２３１）と；
前記上顎固定部（２０）の後側下部の他側にそれぞれ挿入され、中心部に前側が開放された他側収容溝（２５２）が形成される複数の他側支持部材（２３３）と；で構成され、
前記複数の一側支持部材（２３１）の中心部の内周面の一側に外側に拡大傾斜される一側傾斜面（２３２）がそれぞれ形成され、
前記複数の他側支持部材（２３３）の中心部の内周面の他側に外側に拡大傾斜される他側傾斜面（２３４）がそれぞれ形成され、
前記複数の一側支持部材（２３１）の一側傾斜面（２３２）の長さは互いに異なり、
前記複数の他側支持部材（２３３）の他側傾斜面（２３４）の長さは互いに異なることを特徴とする請求項１に記載の咬合器。
【請求項４】
前記上顎固定部（２０）の後側下部の両側にそれぞれ挿入される前記複数の支持部材（２３０）の位置を固定させる固定部（５０）が具備され、
前記固定部（５０）は、前記上顎固定部（２０）の後側下部の両側と前記複数の支持部材（２３０）の中の何れか１つをそれぞれ水平に貫通する一側固定ピン（５１１）と他側固定ピン（５１２）とで構成される固定ピン（５１０）と；
前記上顎固定部（２０）の後側下部の両側にそれぞれ下部が軸結合され、前記一側固定ピン（５１１）の一側が内部に収容される弧形の一側収容溝（５２２）が形成される一側回転部材（５２１）と、前記他側固定ピン（５１２）の他側が内部に収容される弧形の他側収容溝（５２４）が形成される他側回転部材（５２３）とで構成される回転部材（５２０）と；を含んで構成されることを特徴とする請求項３に記載の咬合器。
【請求項５】
前記下顎固定部（１０）の後側上部に前記軸部材（２１０）によって後側下部が連結され、上部面に前記下顎固定部（１０）の前側上部に分離可能に設置される前記下顎骨模型（５）の大きさを測定するための測定部（６１０）が所定間隔に形成される下顎骨模型大きさ測定部（６０）が取替可能に具備されることを特徴とする請求項１に記載の咬合器。
【請求項６】
前記測定部（６１０）は目盛線からなることを特徴とする請求項５に記載の咬合器。
【請求項７】
目盛線からなる前記測定部（６１０）は前記下顎骨模型大きさ測定部（６０）の上部面に陽刻または陰刻形成されることを特徴とする請求項６に記載の咬合器。
【請求項８】
前記測定部（６１０）は目盛線が上部面に表示されたステッカーで構成されることを特徴とする請求項５に記載の咬合器。
【請求項９】
前記下顎骨模型大きさ測定部（６０）の下部面に、有歯顎状態である下顎骨模型（５）の歯の上部面と接したり、無歯顎状態である下顎骨模型（５）の上部面と接する支持板（７０）が具備されることを特徴とする請求項５に記載の咬合器。
【請求項１０】
前記下顎骨模型大きさ測定部（６０）の下部面に、有歯顎状態である一側下顎骨模型（５１）と、有歯顎状態である他側下顎骨模型（５２）とで２等分された下顎骨模型（５）の中で前記一側下顎骨模型（５１）の歯の上部面または前記他側下顎骨模型（５２）の歯の上部面と接する支持台（８０）が具備されることを特徴とする請求項５に記載の咬合器。
【請求項１１】
前記上顎固定部（２０）は後側下部に軸部材（２１０）の両側端をそれぞれ支持する複数の後側下部フレーム（２６０）が具備され、前記複数の後側下部フレーム（２６０）の下端部上に前側が開口された空間部（２６１）が形成され、前記空間部（２６１）内に前記軸部材（２１０）を前後方向に位置を移動させる外側支持部材（２７０）と、前記外側支持部材（２７０）の内側に収容結合されて、前記軸部材（２１０）の長手方向に移動する内側支持部材（２８０）とが設置され、前記後側下部フレーム（２６０）の下端部の後方に前記外側支持部材（２７０）を前後方向に移動させるための前後調節ねじ（４１）が設置され、前記後側下部フレーム（２６０）の下端部の側面に前記内側支持部材（２８０）を側方向に移動させるための左右調節ねじ（４３）が設置されることを特徴とする請求項１に記載の咬合器。
【請求項１２】
前記外側支持部材（２７０）は前面と一側面が開口された空間部が形成され、前方側に前記軸部材（２７１）が装着される挿入溝（２７１）が形成され、上側面と下側面上に前記後側下部フレーム（２６０）の空間部（２６１）内にスライディング移動されるようにする前後方向のガイド部材（２７３）が形成され、内側面上に前記内側支持部材（２８０）が挿入されるように横方向ガイド溝（２７２）が形成され、内側に前記内側支持部材（２８０）との結合状態を保持するための磁石固定溝（２７４、２７５）が形成されることを特徴とする請求項１１に記載の咬合器。
【請求項１３】
前記内側支持部材（２８０）は前方側に前記軸部材（２７１）が装着される挿入溝（２８１）が形成され、上側面と下側面上に前記外側支持部材（２７０）の内側空間部内にスライディング移動されるように横方向のガイド部材（２８２）が形成され、左右調節ねじ（４３）が挿入されるねじ溝（２８４）が側面部上に形成され、前記外側支持部材（２７０）との結合力を保持するための磁石固定溝（２８４）が形成されることを特徴とする請求項１１に記載の咬合器。
【請求項１４】
前記外側支持部材（２７０）と前記内側支持部材（２８０）のねじ固定溝にそれぞれ挿入される磁石は互いに異なる極性の磁石で形成されることを特徴とする請求項１２または１３に記載の咬合器。
【請求項１５】
前記上顎固定部後側下部フレーム（２６０）の一側に前記左右調節ねじ（４３）が挿入されるスロット（２６５）が形成されることを特徴とする請求項１１に記載の咬合器。
【発明の詳細な説明】
【技術分野】
【０００１】
本発明は下顎固定部と上顎固定部との相互結合力がより大きく向上されることができるとともに、下顎骨模型の大きさによって上記上顎固定部の左右回転半径をより容易に調節することができるので、上記下顎骨模型と上顎骨模型の咬合状態を確認する過程で誤差が発生される虞をより容易に防止することができる咬合器に関する。
【背景技術】
【０００２】
一般に、咬合器は歯と歯茎の咬合状態を測定して、義歯、歯冠修復、補綴物などの製作及び診断に用いる器具として、患者から得た歯の模型、即ち上顎骨模型と下顎骨模型５（図１）を付着させた後、下顎の運動を機械的に模倣する器具である。
【０００３】
このような咬合器は特に、咬合の問題によって発生される疾病に対して診断して治療計画を立てるのに主に用いられ、インプラントと矯正など各種歯科診療に多方面に用いられる装備である。
【０００４】
一方、現在の咬合器は下顎骨模型５がマウンティングされる下顎固定台と；上顎骨模型がマウンティングされる上顎固定台が軸によって上下に折畳まれる方式を用いているが、上記下顎固定台と上記上顎固定台を連結させる連結構成要素の中の１つであるスプリングが時間が経つにつれて弾性力が低下され、これによって所定時間経過後、上記下顎固定台と上記上顎固定台の結合力が大きく低下される問題点がある。
【０００５】
また、上記下顎固定台にマウンティングされる下顎骨模型５の顎弓の大きさｄ（図１）によって上記上顎骨模型の左右回転半径を調節することができないため、上記下顎骨模型５と上記上顎骨模型との咬合状態を確認する過程で誤差が発生される問題点がある。
【発明の開示】
【発明が解決しようとする課題】
【０００６】
本発明は上述した問題点を解決するために創出されたもので、下顎固定部と上顎固定部との相互結合力がより大きく向上されることができるとともに、下顎骨模型の大きさによって上記上顎固定部の左右回転半径をより容易に調節することができるので、上記下顎骨模型と上顎骨模型との咬合状態を確認する過程で誤差が発生される虞をより容易に防止することができる咬合器を提供することをその目的とする。
【課題を解決するための手段】
【０００７】
上記のような目的を達するために、本発明は、前側上部に下顎骨模型が分離可能に設置される下顎固定部と；上記下顎固定部の後側上部に軸部材によって後側下部が連結され、前側下部に上顎骨模型が分離可能に設置される上顎固定部と；上記上顎固定部の下部面の後側に上側が軸結合されるプッシュスイッチ部材と、上記プッシュスイッチ部材に具備される前側付着部材と、上記上顎固定部の後側に具備されて、上記前側付着部材と付着される後側付着部材とで構成される連結部と；を含んで構成されることを特徴とする咬合器を提供する。
【０００８】
ここで、上記前側付着部材と上記後側付着部材は極性が互いに異なる磁石からなることが好ましい。
【０００９】
そして、上記上顎固定部の後側下部の両側に上記軸部材の一側及び他側とそれぞれ接して上記軸部材を支持する複数の支持部材の中の何れか１つが挿入され、上記複数の支持部材は上記上顎固定部の後側下部の一側にそれぞれ挿入され、中心部に前側が開放された一側収容溝が形成される複数の一側支持部材と；上記上顎固定部の後側下部の他側にそれぞれ挿入され、中心部に前側が開放された他側収容溝が形成される複数の他側支持部材と；で構成され、上記複数の一側支持部材の中心部の内周面の一側に外側に拡大傾斜される一側傾斜面がそれぞれ形成され、上記複数の他側支持部材の中心部の内周面の他側に外側に拡大傾斜される他側傾斜面がそれぞれ形成され、上記複数の一側支持部材の一側傾斜面の長さは互いに異なり、上記複数の他側支持部材の他側傾斜面の長さは互いに異なることが好ましい。
【００１０】
ここで、上記上顎固定部の後側下部の両側にそれぞれ挿入される上記複数の支持部材の位置を固定させる固定部が具備され、上記固定部は、上記上顎固定部の後側下部の両側と上記複数の支持部材の中の何れか１つをそれぞれ水平貫通する一側固定ピンと他側固定ピンとで構成される固定ピンと；上記上顎固定部の後側下部の両側にそれぞれ下部が軸結合され、上記一側固定ピンの一側が内部に収容される弧形の一側収容溝が形成される一側回転部材と、上記他側固定ピンの他側が内部に収容される弧形の他側収容溝が形成される他側回転部材とで構成される回転部材と；を含んで構成されることが好ましい。
【００１１】
上記下顎固定部の後側上部に上記軸部材によって後側下部が連結され、上部面に上記下顎固定部の前側上部に分離可能に設置される上記下顎骨模型の大きさを測定するための測定部が所定間隔に形成される下顎骨模型大きさ測定部が取替可能に具備されることが好ましい。
【００１２】
ここで、上記測定部は目盛線からなることが好ましい。
【００１３】
そして、目盛線からなる上記測定部は、上記下顎骨模型大きさ測定部の上部面に陽刻または陰刻形成されることが好ましい。
【００１４】
また、上記測定部は目盛線が上部面に表示されたステッカーで形成されることが好ましい。
【００１５】
上記下顎骨模型大きさ測定部の下部面に、有歯顎状態である下顎骨模型の歯牙の上部面と接したり、無歯顎状態である下顎骨模型の上部面と接する支持板が具備されることが好ましい。
【００１６】
また、上記下顎骨模型大きさ測定部の下部面に、有歯顎状態である一側下顎骨模型と、有歯顎状態である他側下顎骨模型とで２等分された下顎骨模型の中で上記一側下顎骨模型の歯牙の上部面または上記他側下顎骨模型の歯牙の上部面と接する支持台が具備されることが好ましい。
【発明の効果】
【００１７】
本発明は前側付着部材と、上記前側付着部材と異なる極性を有する後側付着部材とを用いて、下顎固定部と上顎固定部との相互結合力をより大きく向上されることができるとともに、下顎骨模型の大きさによって上記上顎固定部の左右回転半径を調節することができるので、上記下顎骨模型と上顎骨模型との咬合状態を確認する過程で誤差が発生される虞をより容易に防止することができる効果を奏する。
【図面の簡単な説明】
【００１８】
【図１】下顎骨模型を概略的に示す平面図である。
【図２】本発明の一実施例における咬合器を概略的に示す斜視図である。
【図３】図１の右側面図である。
【図４】図１の左側面図である。
【図５】上顎固定部を概略的に示す右側面図である。
【図６】上顎固定部を概略的に示す右側面図である。
【図７】図２の一部の分離斜視図である。
【図８】図２の一部の分離斜視図である。
【図９】図２の一部の分離斜視図である。
【図１０】下顎骨模型大きさ測定部を概略的に示す斜視図である。
【図１１】下顎骨模型大きさ測定部の下部面に支持板が具備された状態を概略的に示す左側面図である。
【図１２】下顎骨模型大きさ測定部の下部面に支持板が具備された状態を概略的に示す左側面図である。
【図１３】下顎骨模型大きさ測定部の下部面に支持板が具備された状態を概略的に示す左側面図である。
【図１４】下顎骨模型大きさ測定部の下部面に支持台が具備された状態を概略的に示す斜視図である。
【図１５】図１４の底面図である。
【図１６】支持台が２等分された状態である下顎骨模型と接する状態を概略的に示す平面図である。
【図１７】支持台が２等分された状態である下顎骨模型と接する状態を概略的に示す平面図である。
【図１８】支持台が２等分された状態である下顎骨模型と接する状態を概略的に示す平面図である。
【図１９】支持台が２等分された状態である下顎骨模型と接する状態を概略的に示す平面図である。
【図２０】上顎固定部の後側下部フレームに調節ねじによって軸部材を調整するための構成例を示した図面である。
【図２１】上記図２０で上顎固定部の後側下部フレームに設置された構成中で外側支持部材と内側支持部材の構成を説明するための図面である。
【図２２】上記図２１の図面で軸部材を除いた状態を示した図面である。
【発明を実施するための最良の形態】
【００１９】
以下、本発明の好ましい実施例を添付した図面に基づいてより詳細に説明すれば次の通りである。本発明の権利範囲は下記の実施例に限定されるのではなく、本発明の技術的要旨を逸脱しない範囲内で当該技術分野において通常的な知識を有する者によって多様に変形実施されることができる。
【００２０】
図２は本発明の一実施例における咬合器を概略的に示す斜視図であり、図３は図１の右側面図であり、図４は図１の左側面図である。
【００２１】
本発明の一実施例における咬合器は、図２〜図４に示したように、下顎固定部１０、上顎固定部２０及び連結部３０を含んで構成される。
【００２２】
まず、上記下顎固定部１０の前側上部には下顎骨模型５が分離可能に設置される。
【００２３】
次に、上記上顎固定部２０の前側下部には上顎骨模型７が分離可能に設置される。
【００２４】
上記上顎固定部２０の後側下部は軸部材２１０によって上記下顎固定部１０の後側上部に上下に折畳可能に連結されることができる。これは公知された技術であり、本発明が属する技術分野における当業者であれば自明に理解して実施することができる事項であるため、以下で、詳しい説明は省略する。
【００２５】
上記上顎骨模型７の前方に位置するように、上記上顎固定部２０の前側には上記上顎固定部２０と上記下顎固定部１０の水平状態を保持させるためのガイドピン２４０が上下移動可能に垂直に具備されることができる。
【００２６】
図５及び図６は上顎固定部２０を概略的に示す右側面図である。
【００２７】
次に、上記連結部３０は図５及び図６に示したように、主にプッシュスイッチ部材３１０、前側付着部材３２０及び後側付着部材３３０で構成される。
【００２８】
上記プッシュスイッチ部材３１０の上側は上記上顎固定部２０の下部面後側の中心部に軸結合されることができる。
【００２９】
上記プッシュスイッチ部材３１０の下部前側にはフック３１１が一体に形成されることができる。
【００３０】
上記フック３１１は上側から下側へ行くほど上記プッシュスイッチ部材３１０の前方方向に突出されるように湾曲形成されることができる。
【００３１】
上記フック３１１の内側には上記軸部材２１０の中心部が収容されることができる。
【００３２】
上記前側付着部材３２０と上記後側付着部材３３０は極性が互いに異なる磁石からなることができる。
【００３３】
上記前側付着部材３２０は上記プッシュスイッチ部材３１０の中間部に一体に具備されることができる。
【００３４】
上記後側付着部材３３０は上記上顎固定部２０の後側下部に一体に具備されることができる。
【００３５】
作業者が手のひらの部位で上記プッシュスイッチ部材３１０の下部後側を上記プッシュスイッチ部材３１０の前方方向に加圧する場合、上記プッシュスイッチ部材３１０の上側を基準にして、上記プッシュスイッチ部材３１０の下側は上記上顎固定部２０の下部面方向に回転移動し、この状態で作業者は上記下顎固定部１０から上記上顎固定部２０を分離することができる。
【００３６】
作業者が上記上顎固定部２０の下部面方向に回転移動した状態である上記プッシュスイッチ部材３１０の下側を上記後側付着部材３３０の方向に回転移動させる場合、上記前側付着部材３２０と上記後側付着部材３３０との間の距離は漸次に狭められると同時に、上記前側付着部材３２０と上記後側付着部材３３０との間に発生される張力によって上記前側付着部材３２０と上記後側付着部材３３０は互いに接した状態を保持することができる。
【００３７】
同時に、上記プッシュスイッチ部材３１０のフック３１１の内側に上記軸部材２１０の中心部が収容されることによって、上記下顎固定部１０と上記上顎固定部２０が折畳可能により堅固に連結されることができる。
【００３８】
図７〜図９は図２の一部の分離斜視図である。
【００３９】
作業者は上記下顎骨模型５と上記上顎骨模型７との咬合状態を確認するために、上記上顎固定部２０を左右に拗って回転移動（図２の実線矢印を参照）させることで、上記下顎骨模型５と上記上顎骨模型７との咬合状態を確認する。
【００４０】
ここで、上記下顎骨模型５の顎弓の大きさｄ（図１）による上記上顎固定部２０の左右回転移動半径をより容易に調節するために、支持部材２３０と上記軸部材２１０との接点Ｐ（図７〜図９）が異なるようにすることができる。
【００４１】
上記下顎骨模型５の顎弓の大きさｄが小さいほど上記支持部材２３０と上記軸部材２１０との接点Ｐは上記軸部材２１０の中心部の方向に移動する。
【００４２】
上記下顎骨模型５の顎弓の大きさｄが大きいほど上記支持部材２３０と上記軸部材２１０との接点Ｐは上記軸部材２１０の中心部から上記軸部材２１０の両側方向に移動する。
【００４３】
より具体的には、まず、図７に示したように、上記上顎固定部２０の後側下部の両側には挿入溝２２０が形成されることができる。
【００４４】
上記挿入溝２２０は上記上顎固定部２０の後側下部の一側に形成される一側挿入溝２２１と；上記上顎固定部２０の後側下部の他側に形成される他側挿入溝２２２とで構成されることができる。
【００４５】
上記一側挿入溝２２１と他側挿入溝２２２は上記上顎固定部２０の前側から後側方向に所定深さで水平に陷沒されて形成されることができる。
【００４６】
上記一側挿入溝２２１の前側と一側は開放されることができる。
【００４７】
上記一側挿入溝２２１の他側中心部には上記上顎固定部２０の前側から後側方向に所定深さで水平に陷沒されて形成される前側が開放された一側収容溝２２３が形成されることができる。
【００４８】
上記一側挿入溝２２１の上側と下側には上記一側挿入溝２２１と連通される一側ガイド溝２２４が上記上顎固定部２０の前側から後側方向に所定長さに延長された状態でそれぞれ陷沒されて形成されることができる。
【００４９】
上記他側挿入溝２２２の前側と他側は開放されることができる。
【００５０】
上記他側挿入溝２２２の一側中心部には上記上顎固定部２０の前側から後側方向に所定深さで水平に陷沒されて形成される前側が開放された他側収容溝２２５が形成されることができる。
【００５１】
上記他側挿入溝２２２の上側と下側には上記他側挿入溝２２２と連通される他側ガイド溝２２６が上記上顎固定部２０の前側から後側方向に所定長さに延長された状態でそれぞれ陷沒されて形成されることができる。
【００５２】
そして、上述した上記支持部材２３０は複数からなってもよい。
【００５３】
上記複数の支持部材２３０の中のいずれか１つは作業者によって上記上顎固定部２０の後側下部の両側にそれぞれ挿入されて、上記軸部材２１０の一側及び他側に接して上記軸部材２１０を支持することができる。
【００５４】
上記複数の支持部材２３０は、図７〜図９に示したように、複数の一側支持部材２３１と複数の他側支持部材２３３とで構成されることができる。
【００５５】
上記複数の一側支持部材２３１の中のいずれか１つは上記上顎固定部２０の後側下部の一側に形成された上記一側挿入溝２２１内に前後方向に挿入されることができる。
【００５６】
上記複数の一側支持部材２３１の中心部には前側が開放された一側収容溝２５１が上記上顎固定部２０の前側から後側方向に所定深さで水平に陷沒されて形成されることができる。
【００５７】
上記複数の一側支持部材２３１の上側と下側には上記一側ガイド溝２２４内に挿入される一側ガイド突起２３１ａが垂直に突出して形成されることができる。
【００５８】
上記複数の他側支持部材２３３の中のいずれか１つは上記上顎固定部２０の後側下部の他側に形成された上記他側挿入溝２２２内に前後方向に挿入されることができる。
【００５９】
上記複数の他側支持部材２３３の中心部には前側が開放された他側収容溝２５２が上記上顎固定部２０の前側から後側方向に所定深さで水平に陷沒されて形成されることができる。
【００６０】
上記複数の他側支持部材２３３の上側と下側には上記他側ガイド溝２２６内に挿入される他側ガイド突起２３３ａが垂直に突出して形成されることができる。
【００６１】
図７〜図９に示したように、上記複数の一側支持部材２３１の中心部の内周面の一側には上記複数の一側支持部材２３１から上記複数の一側支持部材２３１の外側方向へ行くほど拡大傾斜される一側傾斜面２３２がそれぞれ形成されることができる。
【００６２】
図７〜図９に示したように、上記複数の他側支持部材２３３の中心部の内周面の他側には上記複数の他側支持部材２３３から上記複数の他側支持部材２３３の外側方向へ行くほど拡大傾斜される他側傾斜面２３４がそれぞれ形成されることができる。
【００６３】
図７〜図９に示したように、上記複数の一側支持部材２３１の一側傾斜面２３２の長さｌ１は互いに異なることができ、上記複数の他側支持部材２３３の他側傾斜面２３４の長さｌ２は互いに異なることができる。
【００６４】
上記一側傾斜面２３２と上記他側傾斜面２３４の長さ変化によって、上記軸部材２１０、上記一側支持部材２３１及び上記他側支持部材２３３の各接点Ｐの位置が変わることができる。
【００６５】
上記一側傾斜面２３２の長さｌ１と上記他側傾斜面２３４の長さｌ２が長いほど接点Ｐは上記軸部材２１０の中心部方向に漸次に移動する。
【００６６】
上記一側傾斜面２３２の長さｌ１と上記他側傾斜面２３４の長さｌ２が短いほど接点Ｐは上記軸部材２１０の中心部から上記軸部材２１０の一側と他側方向に漸次に移動する。
【００６７】
次に、図３及び図４に示したように、上記上顎固定部２０の後側下部の両側にそれぞれ挿入される上記複数の支持部材２３０の位置を固定させるための固定部５０が具備されることができる。
【００６８】
上記固定部５０は固定ピン５１０（図２）と回転部材５２０（図２）とを含んで構成されることができる。
【００６９】
上記固定ピン５１０は一側固定ピン５１１と他側固定ピン５１２とで構成されることができる。
【００７０】
上記一側固定ピン５１１は上記上顎固定部２０の後側下部の一側及び上記複数の一側支持部材２３１の中の何れか１つをそれぞれ水平に貫通することができる。
【００７１】
上記他側固定ピン５１２は上記上顎固定部２０の後側下部の他側及び上記複数の他側支持部材２３３の中の何れか１つをそれぞれ水平に貫通することができる。
【００７２】
上記回転部材５２０は一側回転部材５２１と他側回転部材５２３とで構成されることができる。
【００７３】
上記一側回転部材５２１の下部は、図３に示したように、上記上顎固定部２０の後側下部の外周面に軸結合されることができる。
【００７４】
上記一側回転部材５２１の下部前側には上記上顎固定部２０の前方方向に凸出して形成された下側が開放された弧形の一側収容溝５２２が形成されることができる。
【００７５】
上記一側回転部材５２１の下部を基準にして、作業者は上記一側回転部材５２１の上部を上下回転移動させて、上記一側収容溝５２２内に上記一側固定ピン５１１の一側を収容させたり収容状態を解除することができる。
【００７６】
上記他側回転部材５２３の下部は、図４に示したように、上記上顎固定部２０の後側下部の外周面に軸結合されることができる。
【００７７】
上記他側回転部材５２３の下部前側には上記上顎固定部２０の前方方向に凸出して形成された下側が開放された弧形の他側収容溝５２４が形成されることができる。
【００７８】
上記他側回転部材５２３の下部を基準にして、作業者は上記他側回転部材５２３の上部を上下回転移動させて、上記他側収容溝５２４内に上記他側固定ピン５１２の他側を収容させたり、収容状態を解除することができる。
【００７９】
一方、本発明の咬合器において、上記軸部材２１０を支持する支持部材を調節ねじを利用して移動させて、軸部材２１０の位置を調整することもできる。
【００８０】
調節ねじは回転によって前後または横方向移動することができ、上述した実施例で説明した回転部材の移動による操作に比べて、軸部材２１０の移動をより微細に調整することができるといる長所がある。
【００８１】
以下では、上顎固定部の後側下部フレームの調節ねじとこれに対応して作動する構成例について添付図面を通じて説明する。
【００８２】
図２０は上顎固定部の後側下部フレームに調節ねじによって軸部材を調整するための構成例を示した図面であり、図２１は上記図２０で上顎固定部の後側下部フレームに設置された構成中で外側支持部材と内側支持部材の構成を説明するための図面であり、図２２は上記図２１の図面で軸部材を除いた状態を示した図面である。
【００８３】
上記図面で、便宜上外側支持部材２７０と内側支持部材２８０は結合関係に関わらず、前面に別途に示した。
【００８４】
上記図面によれば、本発明の上顎固定部２０は後側下部に軸部材２１０の両側端をそれぞれ支持する複数の後側下部プレ２６０が具備される。
【００８５】
上記複数の後側下部プレ２６０の下部側には一連の構成部材が挿入される空間部２６１が形成され、上記空間部２６１の内側上端の底部面と下端上部面上にはガイド溝２６３が形成され、上記複数の後側下部フレーム２６０の両側には前後方向に長く形成されたスロット２６５が形成される。上記スロット２６５内に左右調節ねじ４３が挿入され、上記複数の後側下部フレーム２６０の後方には前後調節ねじ４１が挿入される挿入孔（図示省略）が形成されている。
【００８６】
また、上記調節ねじ４１、４３とともに上記複数の後側下部フレーム２６０に具備される構成として、外側支持部材２７０、上記外側支持部材２７０の内側に挿入される内側支持部材２８０及び一連の付着部材１７１、１７３、１７５、１７７（磁石）を含む。
【００８７】
上記構成の中で、複数の後側下部プレ２６０の下部は前側が開口された空間部２６１が形成され、上記空間部２６１内に上記軸部材２１０を支持する外側支持部材２７０と、上記外側支持部材２７０の内側に収容結合されて、上記軸部材２１０の長手方向に沿って移動する内側支持部材２８０とが設置される。
【００８８】
また、上記後側下部フレーム２６０の下端部の後方には上記外側支持部材２７０を前後方向に移動させるための前後調節ねじ４１が設置され、上記後側下部フレーム２６０の下端部の側面には上記内側支持部材２８０を側方向に移動させるための左右調節ねじ４３が設置される。
【００８９】
また、上記外側支持部材２７０は前面と一側面が開口された空間部が形成され、前方側に上記軸部材２７１が装着される挿入溝２７１が形成され、上側面と下側面上に上記後側下部フレーム２６０の空間部２６１内にスライディング移動されるようにする前後方向のガイド部材２７３が形成され、内側面上に上記内側支持部材２８０が挿入されるように横方向ガイド溝２７２が形成され、内側に上記内側支持部材２８０との結合状態を保持するための付着部材固定溝２７４、２７５が形成される。
【００９０】
そして、上記内側支持部材２８０は上記外側支持部材２７０の内側にスライディング移動しながら結合し、結合方向は軸部材２１０が配列された長手方向、即ち横方向に移動する。
【００９１】
上記内側支持部材２８０は前方側に上記軸部材２７１が装着される挿入溝２８１が形成され、上側面と下側面上に上記外側支持部材２７０の内側空間部内にスライディング移動されるように横方向のガイド部材２８２が形成され、左右調節ねじ４３が挿入されるねじ溝２８４が側面部に形成され、上記外側支持部材２７０との結合力を保持するための付着部材固定溝２８４が形成された構造である。
【００９２】
この時、上記内側支持部材２８０の前方側の一側には傾斜面２８３が形成されており、この傾斜面２８３の傾斜度によって軸部材２１０の傾斜度が変わる。
【００９３】
本発明の上記内側支持部材２８０の移動によって軸部材２１０が回転移動の時支持する支点の位置が変わるので、結局軸部材２１０の回転半径の大きさが変わる。
【００９４】
上記後側下部フレーム２６０、外側支持部材２７０及び内側支持部材２８０に装着される付着部材は磁石で、互いに対応する付着部材は極性が異なる。
【００９５】
即ち、普段磁力によって対応する構成部材は相互結合された状態を保持しながら、調節ねじ４１、４３によって相互距離が離隔される場合張力が作用し、調節ねじ４１、４３が原位置になった場合には、磁力によって離隔された２つの構成部材が自然に原位置に戻る。
【００９６】
一方、上記上顎固定部後側下部フレーム２６０の一側に上記左右調節ねじ４３が挿入されるスロット２６５は前後調節ねじ４１によって外側支持部材２７０が前後方向に移動する場合、左右調節ねじ４３も一緒に移動することができるように余裕空間を提供する役割を果たす。
【００９７】
図１０は下顎骨模型大きさ測定部６０を概略的に示す斜視図である。
【００９８】
次に、上記上顎固定部２０を上記下顎固定部１０に連結する前に、上記下顎固定部１０の後側上部には下顎骨模型大きさ測定部６０が取替可能に具備されることができる。
【００９９】
図１０に示したように、上記下顎骨模型大きさ測定部６０には上記下顎骨模型５の顎弓の大きさｄを測定するための測定部６１０が所定間隔で形成されることができる。
【０１００】
上記測定部６１０は左右方向に所定長さに延長される色相を有する目盛線などからなることができるが、必ずこれに限定されるのではない。
【０１０１】
上記測定部６１０が特に目盛線からなる場合、目盛線からなる上記測定部６１０は下顎骨模型大きさ測定部６０の上部面の中間部に下顎骨模型大きさ測定部６０の前側から後側方向に所定間隔に塗布される配置されることができる。
【０１０２】
目盛線などからなる上記測定部６１０を通じて作業者が上記下顎骨模型５の顎弓の大きさｄを肉眼でより容易に確認することができるようにするために、下顎骨模型大きさ測定部６０は透明な合成樹脂材質などで構成されるとともに、上記目盛線の周辺に位置するように、下顎骨模型大きさ測定部６０の上部面には上記下顎骨模型５の顎弓の大きさを示す色相を有する数字がそれぞれ表示されることが好ましい。
【０１０３】
下顎骨模型大きさ測定部６０の後側下部は上記上顎固定部２０と同じく、上記軸部材２１０によって上下に折畳可能に上記下顎固定部１０の後側上部に連結されることができる。
【０１０４】
作業者は下顎骨模型大きさ測定部６０を用いて上記下顎骨模型５の顎弓の大きさｄを測定した後、下顎骨模型大きさ測定部６０の代りに上記下顎固定部１０に上記上顎固定部２０を連結して、上記下顎骨模型５と上記上顎骨模型７との咬合状態を確認する作業を行う。
【０１０５】
次に、色相を有する目盛線からなることができる上記測定部６１０とともに、色相を有する数字は下顎骨模型大きさ測定部６０の上部面に陽刻または陰刻形成されることができるが、好ましくは、図示されなかったが、上記測定部６１０は色相を有する目盛線及び色相を有する数字が上部表面に所定間隔に印刷表示された透明材質のステッカーで構成されることが良い（図示省略）。
【０１０６】
色相を有する目盛線及び色相を有する数字が上部面に所定間隔に印刷表示されたステッカーは下顎骨模型大きさ測定部６０の上部面に付着することができ、これによって、下顎骨模型大きさ測定部６０の上部面により簡便に上記測定部６１０を形成することができる。
【０１０７】
図１１〜図１３は下顎骨模型大きさ測定部６０の下部面に支持板７０が具備された状態を概略的に示す左側面図である。
【０１０８】
次に、上記下顎骨模型大きさ測定部６０は上記上顎固定部２０と同じく構成されるが、図１１〜図１３に示したように、下顎骨模型大きさ測定部６０の下部面の中心部には支持板７０が水平に具備されることができる。
【０１０９】
上記下顎固定部１０の前側上部に固定される上記下顎骨模型５の上下幅によって上記下顎骨模型５の上部と下顎骨模型大きさ測定部６０の下部との間に空間ｓが形成されることができる。
【０１１０】
上記空間ｓには上記支持板７０が位置することができる。
【０１１１】
上記支持板７０は、図１１に示したように、有歯顎状態である下顎骨模型５の上側に形成される歯の上部面と接する第１支持板７１０で構成されることができる。
【０１１２】
また、上記支持板７０は、図１２に示したように、無歯顎状態、即ち上側に歯が形成されない下顎骨模型５の上部面と接する第２支持板７２０で構成されることができる。
【０１１３】
上記第２支持板７２０が無歯顎状態である上記下顎骨模型５の上部面とより容易に接することができるようにするために、上記第２支持板３２０の上下厚さＴ２は上記第１支持板７１０の上下厚さＴ１より大きくなることができる。
【０１１４】
上記空間ｓに位置する上記支持板７０を通じて有歯顎または無歯顎である上記下顎骨模型５と上記下顎骨模型大きさ測定部２０がより容易に水平に平行状態を保持することができ、これによって、作業者が有歯顎または無歯顎である上記下顎骨模型５の顎弓の大きさｄもより容易に測定することができる。
【０１１５】
一方、図１３に示したように、上記下顎骨模型大きさ測定部２０の下部面の中心部には上記第１支持板７１０と第２支持板７２０の何れも水平に具備されることもできる。
【０１１６】
次に、上記支持板７０は磁石９０で構成されることができる付着部材によって簡便に付着固定されることができる。
【０１１７】
上記磁石９０は、図１１及び図１２に示したように、上側磁石９１１と下側磁石９１２とで構成されるか、図１３に示したように、第１磁石９１３、第２磁石９１４、第３磁石９１５及び第４磁石９１６で構成されることができる。
【０１１８】
上記上側磁石９１１と上記下側磁石９１２は互いに異なる極性を有することができる。
【０１１９】
上記上側磁石９１１は上記下顎骨模型大きさ測定部２０の下側中心部の内部に具備されることができる。
【０１２０】
上記下側磁石９１２は上記支持板７０の第１支持板７１０の上側中心部の内部または上記支持板７０の第２支持板７２０の上側中心部の内部に具備されることができる。
【０１２１】
上記第１磁石９１３と第２磁石９１４は互いに異なる極性を有することができる。
【０１２２】
上記第３磁石９１５と第４磁石９１６は互いに異なる極性を有することができる。
【０１２３】
上記第１磁石９１３は上記下顎骨模型大きさ測定部２０の下側中心部の内部に具備されることができる。
【０１２４】
上記第２磁石９１４は上記支持板３０の第１支持板３１０の上側中心部の内部に具備されることができる。
【０１２５】
上記第３磁石９１５は上記支持板７０の第１支持板７１０の下側中心部の内部に具備されることができる。
【０１２６】
上記第４磁石９１６は上記支持板７０の第２支持板７２０の上側中心部の内部に具備されることができる。
【０１２７】
図１４は下顎骨模型大きさ測定部６０の下部面に支持台８０が具備された状態を概略的に示す斜視図であり、図１５は図１４の底面図である。
【０１２８】
次に、図１４及び図１５に示したように、上記下顎骨模型大きさ測定部６０の下部面には上記支持板７０の代りに支持台８０が具備されることができる。
【０１２９】
上記下顎骨模型５は有歯顎状態である一側下顎骨模型５１（図１６）と有歯顎状態である他側下顎骨模型５２（図１７）とで２等分されることができる。
【０１３０】
上記下顎固定部１０の前側上部の一側に有歯顎状態である上記一側下顎骨模型５１が設置された場合、上記支持台８０は上記下顎骨模型大きさ測定部６０の下部面の中心部の一側に具備されることができる。
【０１３１】
図１５に示したように、上記支持台８０は第１支持台８１と第２支持台８２とで構成されることができる。
【０１３２】
上記第１支持台８１の他側は上記下顎骨模型大きさ測定部６０の下部面の中心部の一側に軸結合されることができる。
【０１３３】
上記第２支持台８２は上記第１支持台８１の前方に位置した状態で、他側が上記下顎骨模型大きさ測定部６０の下部面の中心部の一側に軸結合されることができる。
【０１３４】
また、上記第１支持台８１と上記第２支持台８２の他側はそれぞれ磁石１００で構成されることができる付着部材によって上記下顎骨模型大きさ測定部６０の下部面の一側に簡便に付着されて固定されることができる。
【０１３５】
上記磁石１００は第１磁石１０１、第２磁石１０２、第３磁石１０３及び第４磁石１０４で構成されることができる。
【０１３６】
上記第１磁石１０１と第２磁石１０２の極性は互いに異なり、第３磁石１０３と第４磁石１０４の極性も互いに異なる。
【０１３７】
上記第１磁石１０１は上記第１支持台８１の他側内部に具備されることができる。
【０１３８】
上記第２磁石１０２は上記下顎骨模型大きさ測定部５０の下部面の一側内部に具備されることができる。
【０１３９】
上記第３磁石１０３は上記第２支持台８２の他側内部に具備されることができる。
【０１４０】
上記第４磁石１０４は上記第２磁石１０２の前方に位置した状態で上記下顎骨模型大きさ測定部６０の下部面の一側内部に具備されることができる。
【０１４１】
上記第１支持台８１の他側と上記第２支持台８２の他側を基準にして、上記第１支持台８１の一側と上記第２支持台８２の一側は作業者によって前後方向に回転移動して、位置を調節することができる。
【０１４２】
上記下顎固定部１０の前側上部の他側に有歯顎状態である上記他側下顎骨模型５２が設置された場合、図１５に示したように、上記支持台８０は上記下顎骨模型大きさ測定部６０の下部面の他側に具備されることができる。
【０１４３】
上記支持台８０は第３支持台８３及び第４支持台８４とで構成されることができる。
【０１４４】
上記第３支持台８３の一側は上記下顎骨模型大きさ測定部６０の下部面の他側に軸結合されることができる。
【０１４５】
上記第４支持台８４は上記第３支持台８３の前方に位置した状態で一側が上記下顎骨模型大きさ測定部６０の下部面の他側に軸結合されることができる。
【０１４６】
また、上記第３支持台８３と第４支持台８４の一側はそれぞれ磁石１００で構成されることができる付着部材によって上記下顎骨模型大きさ測定部６０の下部面の他側に簡便に付着されて固定されることができる。
【０１４７】
上記磁石１００は第５磁石１０５、第６磁石１０６、第７磁石１０７及び第８磁石１０８で構成されることができる。
【０１４８】
上記第５磁石１０５と上記第６磁石１０６の極性は互いに異なり、上記第７磁石１０７と上記第８磁石１０８の極性も互いに異なる。
【０１４９】
上記第５磁石１０５は上記第３支持台８３の一側内部に具備されることができる。
【０１５０】
上記第６磁石１０６は上記下顎骨模型大きさ測定部６０の下部面の他側内部に具備されることができる。
【０１５１】
上記第７磁石１０７は上記第４支持台８４の一側内部に具備されることができる。
【０１５２】
上記第８磁石１０８は上記第６磁石１０６の前方に位置した状態で、上記下顎骨模型大きさ測定部６０の下部面の他側内部に具備されることができる。
【０１５３】
上記第３支持台８３の一側と上記第４支持台８４の一側を基準にして、上記第３支持台８３の他側と上記第４支持台８４の一側は作業者によって前後方向に回転移動して、位置を調節することができる。
【０１５４】
上記下顎固定部１０の前側上部の他側には、２等分状態ではない下顎骨模型５、即ち有歯顎状態である一側下顎骨模型５１と；上記一側下顎骨模型５１の他側に一体に形成される有歯顎状態である他側下顎骨模型５２とで構成された上記下顎骨模型５が固定されることもできる。
【０１５５】
この場合、図１５に示したように、上記第１支持台８１、第２支持台８２、第３支持台８３及び第４支持台８４で構成される上記支持台８０は、上記第１磁石１０１、第２磁石１０２、第３磁石１０３、第４磁石１０４、第５磁石１０５、第６磁石１０６、第７磁石１０７及び第８磁石１０８で構成される上記磁石１００からなる上記付着部材によって上記下顎骨模型大きさ測定部６０の下部面の一側と下部面の他側皆に具備されることができる。
【０１５６】
図１６〜図１９は支持台８０が下顎骨模型５と接する状態を概略的にそれぞれ示す平面図である。
【０１５７】
図１６に示したように、上記第１支持台８１の下部面と上記第２支持台８２の下部面は有歯顎状態である上記一側下顎骨模型５１の上側に形成された歯と接することができる。
【０１５８】
図１７に示したように、上記第３支持台８３の下部面と上記第４支持台８４の下部面は有歯顎状態である上記他側下顎骨模型５２の上側に形成された歯と接することができる。
【０１５９】
図１８に示したように、上記第１支持台８１の下部面、上記第２支持台８２の下部面、上記第３支持台８３の下部面及び上記第４支持台８４の下部面は２等分状態ではない有歯顎状態である上記下顎骨模型５の上側に形成された歯と接することができる。
【０１６０】
図１９に示したように、２等分状態ではなく有歯顎状態である上記下顎骨模型５の上側に形成される歯の間には空間ｇが形成されることができ、上記空間ｇの底面は上記第１支持台８１の下部面、上記第２支持台８２の下部面、上記第３支持台８３の下部面及び上記第４支持台８４の下部面の中の何れか１つまたは皆と接することもできる。
【０１６１】
また、図示しないが、無歯顎状態である上記下顎骨模型５の成形過程で、無歯顎状態である上記下顎骨模型５の上部面の前側と後側にそれぞれ余剰石膏が上部方向に突出された状態で形成されることができる。
【０１６２】
上記余剰石膏の間にも上記空間ｇが形成されることができ、上記余剰石膏の間に形成された上記空間ｇの底面は、上記第１支持台８１の下部面、上記第２支持台８２の下部面、上記第３支持台８３の下部面及び上記第４支持台８４の下部面の中の何れか１つまたは全部に接することができる。
【０１６３】
上述したように構成された本発明は、上記前側付着部材３２０と、上記前側付着部材３２０と異なる極性を有する上記後側付着部材３３０を用いて、上記下顎固定部１０と上記上顎固定部２０との相互結合力をより大きく向上することができるとともに、上記下顎骨模型５の顎弓の大きさｄによって上記上顎固定部２０の左右回転半径を調節することができるので、上記下顎骨模型５と上顎骨模型７との咬合状態を確認する過程で誤差が発生される虞をより容易に防止することができる利点がある。
【符号の説明】
【０１６４】
１０：下顎固定部
２０：上顎固定部
３０：連結部
４０：調節ねじ部
４１：前後調節ねじ
４３：左右調節ねじ
５０：固定部
６０：下顎骨模型測定部
７０：支持板
８０：支持台
９０：磁石
１７１、１７３、１７５、１７７：付着部材（磁石）
２１０：軸部材
２２０：挿入溝
２３０：支持部材
２６０：上顎固定部後側下部フレーム
２６１：空間部
２６３：ガイド溝
２６５：スロット
２７０：外側支持部材
２７１：挿入溝
２７２：ガイド溝
２７３：ガイド部材
２７４、２７５：磁石固定溝
２８０：内側支持部材
２８１：挿入溝
２８２：ガイド部材
２８３：傾斜面
２８４：磁石固定溝
３１０：プッシュスイッチ部材
３２０：前側付着部材
３３０：後側付着部材
【図１】
2014533141.tif 000003
【図２】
2014533141.tif 000004
【図３】
2014533141.tif 000005
【図４】
2014533141.tif 000006
【図５】
2014533141.tif 000007
【図６】
2014533141.tif 000008
【図７】
2014533141.tif 000009
【図８】
2014533141.tif 000010
【図９】
2014533141.tif 000011
【図１０】
2014533141.tif 000012
【図１１】
2014533141.tif 000013
【図１２】
2014533141.tif 000014
【図１３】
2014533141.tif 000015
【図１４】
2014533141.tif 000016
【図１５】
2014533141.tif 000017
【図１６】
2014533141.tif 000018
【図１７】
2014533141.tif 000019
【図１８】
2014533141.tif 000020
【図１９】
2014533141.tif 000021
【図２０】
2014533141.tif 000022
【図２１】
2014533141.tif 000023
【図２２】
2014533141.tif 000024
【国際調査報告】
2014533141.tif 000025
2014533141.tif 000026
2014533141.tif 000027
2014533141.tif 000028